(57)【要約】【課題】定着性、周波数応答性、目詰まり性に優れたインクジェット用インクの提供。【解決手段】一般式（化１）に示す液媒体を含有するインク及び、該インクを用いたインクカートリッジ、記録ユニット、インクジェット記録方法及びインクジェット記録装置。【選択図】　　　図１
2004143305.tif 000002
【特許請求の範囲】
【請求項１】
記録剤及びこれを溶解又は分散する液媒体を含むインクにおいて、一般式［１］
【外１】
2004143305.tif 000008
（上式中、Ｒ１は炭素数１〜３のアルキル基又は水素原子、Ｒ１、Ｒ２は炭素数１〜３のアルキル基を表す。）で示される化合物を含有することを特徴とするインク。
【請求項２】
一般式［１］で示される化合物の含有量が、インク全重量の０．１〜３０重量％の範囲にある請求項１に記載のインク。
【請求項３】
液媒体として、水を含む請求項１に記載のインク。
【請求項４】
水の含有量がインク全重量の５０〜９５重量％の範囲にある請求項３に記載のインク。
【請求項５】
液媒体として、水溶性有機溶剤を含む請求項１に記載のインク。
【請求項６】
水溶性有機溶剤の含有量がインク全重量の１〜４９重量％の範囲にある請求項５に記載のインク。
【請求項７】
被記録材に対して間隙を介して供給される記録方法が、記録信号に応じてオリフィスよりインク滴を吐出させて被記録材に記録を行って記録物を得るインクジェット記録方法であり、請求項１〜６に記載のインクを使用することを特徴とするインクジェット記録方法。
【請求項８】
インクに熱エネルギーを作用させてオリフィスよりインク滴を吐出させる請求項７に記載の記録方法。
【請求項９】
インクを収容したインク吸収部、該インクをインク滴として吐出させるためのヘッド部を備えた記録ユニットにおいて、前記インクが請求項１〜６に記載のインクであることを特徴とする記録ユニット。
【請求項１０】
ヘッド部がインクに熱エネルギーを作用させてインク滴を吐出させるヘッドである請求項９に記載の記録ユニット
【請求項１１】
インク収容部がポリウレタン、セルロース又はポリビニルアセテートで形成されている請求項９に記載の記録ユニット。
【請求項１２】
インクを収容したインク収容部を備えたインクカートリッジにおいて、前記インクが請求項１〜６に記載のインクであることを特徴とするインクカートリッジ。
【請求項１３】
インク収容部がポリオレフィンで形成された接液面を有する請求項１２に記載のインクカートリッジ。
【請求項１４】
インクを収容したインク収容部、該インクをインク滴として吐出させるためのヘッド部を有する記録ユニットを備えたインクジェット記録装置において、前記インクが請求項１〜６に記載のインクであることを特徴とするインクジェット記録装置。
【発明の詳細な説明】
【０００１】
【発明の属する技術分野】
本発明はインク、特にインクを記録信号に応じてオリフィスから吐出させて記録媒体に記録を行う、インクジェット記録に好適に使用できるインク、それを用いたインクセット、インクカートリッジ、記録ユニット、画像記録装置及び画像記録方法に関するものである。
【０００２】
【従来の技術】
従来からインクジェット記録に用いる為のインクについては、種々の組成のものが報告され、また提案されている。特に近年は、コピ−紙、レポ−ト用紙、ノ−ト、便せん等のオフィスで一般に使用されている普通紙等に良好な記録を行うために、インク組成及びインク物性等の多様な面から詳細な研究開発がなされている。
【０００３】
またインクジェット記録法においても、さまざまの方式が提案されており、帯電した液滴を連続的に発生させ、該液滴の一部を記録に使用する方式、圧電素子を有する記録ヘッドに信号を与え、該信号に応じて記録液を吐出させて記録を行う方式、あるいは記録ヘッドの室内の記録液に対して、例えば発熱ヒータを用いて記録信号に対応した熱エネルギ−を与え、該エネルギ−により記録液を吐出させて記録を行う方式などがある。例えば特開昭５４−５９９３６号公報に記載されているような熱エネルギ−によるインクの発泡現象を利用してインクを吐出させる方式のインクジェット記録方法はインクが吐出される開口部（以降「オリフィス」）の高集積化、高密度化が容易である点から、現在のインクジェット記録方法の主力のひとつとなっている方式である。ところでインクジェト記録に用いるインクが備えていることが好ましい特性としては例えば下記（１）〜（６）が挙げられる。
【０００４】
この方式に使用するインクの好ましい条件を下記に列挙してみると、
（１）周波数応答性が良好であり微細な吐出口から液滴が、常時安定して吐出され、目詰まりを生じない。特に、熱エネルギーに対する発泡の応答性が良好である。
【０００５】
（２）記録休止中、キャップをしない状態で放置されていても、記録再開直後から安定した吐出が得られる。すなわち、吐出口付近のインクが乾燥しにくく、目詰まりを生じない。
【０００６】
（３）特に普通紙や布に対して、不定形、又は不規則な滲みのない高品位な画像が得られる。
【０００７】
（４）普通紙や布に対して、定着性（印字乾燥性）が速く、印字物をこすっても汚れない。
【０００８】
（５）保存安定性が良好で、長時間にわたり、インク性能が保持される。特に、熱エネルギーを利用した方式による場合は、発熱ヘッド上での断線や異物の沈着が生じない。
【０００９】
（６）毒性、引火性等の安全性に優れる。
等が挙げられる。
【００１０】
これらの要求に対し従来のインクの処方としては、例えば、一般にインク中には乾燥防止、目詰まり防止等の目的でグリコール等の高沸点有機溶剤を含有しており、このようなインクでサイズ度の高い普通紙に記録を行った場合には、インクが紙内部へ浸透しにくく記録部の乾燥性が悪いため、記録物を手で触れるとインクが手についたり、文字がこすれて汚れたりする等の問題があった。
【００１１】
そこで、紙内部へのインクの浸透性を高めるために、特開昭５５−２９５４６号公報には、インク中に多量の界面活性剤を添加する方法が提案されている。この場合には、紙によっては滲みが非常に多く発生したり、インクジェット用ヘッドに充填した場合に、ヘッドの構造条件によっては、インクがオリフィス面より後退してしまい吐出が行われなかったり、逆にオリフィス面全体が濡れてしまいインクが吐出しない等のトラブルがみられた。
【００１２】
また、特開昭５６−５７８６２号公報には、インクのｐＨを強アルカリ性にする方法も提案されているが、この場合はインクを手で触れた場合に危険であり、また、ある種のサイズ剤を用いた紙、例えば、中性紙等に対しては滲み、乾燥性とも良好でない場合がある等の欠点がある。
【００１３】
上記の他にも、今までに種々の改良が試みられているものの、前記の滲みと乾燥性更には目詰まり性の問題をすべて充分に解決するインクは今までのところ知られていないのが現状であり、周波数に良好に応答する性能を更に有するようなインク設計は重要ではあるが、極めて困難な課題である。
【００１４】
【発明が解決しようとする課題】
そこで本発明の目的は、周波数応答性、特に周波数による熱エネルギーに対する発泡の応答性が良好であり、コピー用紙、レポート用紙、ノート、便箋等のオフィスで一般に使用されている非塗工紙、いわゆる普通紙に記録した場合のインクの記録物への遅乾性を解決したインク及びインクジェット記録方法、かかるインクを用いた機器を提供することにある。
【００１５】
また、本発明の別の目的はオフィスや家庭における使用においても安全性の高いインクを提供することにある。
【００１６】
更に、本発明の他の目的は、インクジェット記録ヘッドのノズルにおける目詰まりを起こしにくく、信頼性の優れたインク、かかるインクを用いた機器を提供することにある。
【００１７】
【課題を解決するための手段】
上記目的は以下の本発明によって達成される。
【００１８】
即ち、本発明は、記録剤及びこれを溶解又は分散する液媒体を含むインクにおいて、一般式［１］で示される化合物を含有することを特徴とするインクである。
【００１９】
また、本発明は、インク滴を記録信号に応じてオリフィスから塗出させて被記録材に記録を行うインクジェット記録方法において、上記インクを用いることを特徴とするインクジェット記録方法である。
【００２０】
本発明は、インクを収容したインク収容部、該インクをインク滴として吐出させるためのヘッド部を備えた記録ユニットにおいて、インクとして上記のインクを用いることを特徴とする記録ユニットである。
【００２１】
本発明は、インクを収容したインク収容部に備えたインクカートリッジにおいて、インクとして上記のインクを用いることを特徴とするインクカートリッジである。
【００２２】
本発明は、インクを収容したインク収容部と、該インクをインク滴として吐出させるためのヘッド部を有する記録ユニットを備えたインクジェット記録装置において、インクとして上記のインクを用いることを特徴とするインクジェット記録装置である。
【００２３】
本発明は、インク滴を吐出するための記録ヘッド、インクを収容したインク収容部を有するインクカートリッジ及び該インクカートリッジから記録ヘッドにインクを供給するためのインク供給部を備えたインクジェット記録装置において、インクとして上記のインクを用いることを特徴とするインクジェット記録装置である。
【００２４】
【発明の実施の形態】
本発明者らは、ノズルよりインクを吐出させる記録、特に熱エネルギーによるインクの発泡現象によってインクを吐出させる記録において好適であり、且つ、紙や布上におけるインクの乾燥性、浸透性を改善し、更にインクジェット記録ヘッドのノズルにおける目詰まりを起こしにくい信頼性の優れたインク組成について鋭意検討の結果、液媒体として水と共に一般式［１］で示される化合物を含むインクが滲みと浸透性の点でバランスのとれたものであり、更に目詰まり防止性が特に良好であることを見いだし、本発明に至ったものである。
【００２５】
本発明者らの知見によれば、従来の目詰まり防止剤としては、ポリエチレングリコール類やグリセリン等が用いられており、特にグリセリンは比較的少量の添加で目詰まりを防止することができ、更に紙面上でのインクの滲みも起こしにくいことから、特に好ましい目詰まり防止剤である。ただ、紙中に存在するサイズ剤に対する濡れ性が悪いので紙によっては、紙面上でのインクの乾燥性、浸透性が劣るといった欠点があった。
【００２６】
これに対し、本発明で用いる一般式［１］で示される化合物は、グリセリンと同様の目詰まり防止効果をもち、しかもインクの浸透性のバランスが非常に良好である。その理由としては、該化合物は蒸気圧が低く、且つ、色素の溶解又は分散性に優れ、その結果目詰まり防止効果が得られるものと思われる。更に分子内にイオウ原子を有するために、紙や紙のサイズ剤に対する濡れ性がよく、この結果、紙面上又は布面上でのインクの浸透性が格段に向上したものと考えられる。
【００２７】
一方、周波数に対する応答性は一般式［１］で示される化合物のインク中の含有率が０．１乃至３０重量％で、且つ水も５０乃至９５重量％含有されたとき、特に良好となる。これは、上記割合で混合されたインクの物性やノズル内部の各部材に対する濡れ性がインクを吐出させる記録方法に最適であるためと考えられる。
【００２８】
次に本発明のインクの各成分について説明する。
【００２９】
本発明にて使用し、主として本発明を特徴づける一般式で示される化合物としては、例えば次式のものを挙げることができる。
【外２】
2004143305.tif 000003
【００３０】
かかる一般式［１］で示される化合物のインク中への添加は単独及び混合系で用いられ、使用する色素や併用する他の液媒体成分等によっても異なるが、０．１〜３０重量％程度を、好適には０．５〜２５重量％、より好適には１〜２０重量％を占める割合である。
【００３１】
この含有量が、０．１重量％未満のときは、目詰まり防止効果が認められない。また、この含有量が３０重量％を超えると、浸透性の点で問題が生じる。
【００３２】
本発明のインクを構成する色素としては、直接染料、酸性染料、食用染料、塩基性染料、反応染料、分散染料、建築染料、可溶性建築染料、反応分散染料、油性染料、各種顔料が挙げられる。
【００３３】
これら色素の含有量は、液媒体成分の種類、インクに要求される特性等に依存して決定されるが、一般式［１］で示される化合物を使用するときは、一般的にはインク全量中の重量％で約０．２〜２５％、好ましくは０．５〜２０％、より好ましくは１〜１５％を占める割合である。
【００３４】
また、本発明のインク中に占める水の割合は５０〜９５重量％、好ましくは５５〜９５重量％、より好ましくは６０〜９５重量％を占める割合である。水の量が５０重量％未満の場合は、有機溶剤が多く、紙がカールしたりするため普通紙の印字品位は著しく劣化する。水の量が９５重量％を超えるときはノズルのオリフィスからの吐出安定性が著しく劣化する場合がある。
【００３５】
本発明のインクの必須成分は以上であるが、その他従来公知のインクに使用されている一般的な有機溶剤も併用でき、具体的には、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール、イソブチルアルコール、ｎ−ペンタノール等の炭素数１〜５のアルキルアルコール類；ジメチルホルムアミド、ジメチルアセトアミド等のアミド類；アセトン、ジアセトンアルコール等のケトン又はケトアルコール類；テトラヒドロフラン、ジオキサン等のエーテル類；ジエチレングリコール、トリエチレングリコール、テトラエチレングリコール、ジプロピレングリコール、トリプロピレングリコール、ポリエチレングリコール、ポリプロピレングリコール等のオキシエチレン又はオキシプロピレン付加重合体；エチレングリコール、プロピレングリコール、トリメチレングリコール、ブチレングリコール、ペンタンジオール、へキシレングリコール等のアルキレン基が２〜６個の炭素原子を含むアルキレングリコール類；グリセリン、トリメチロールエタン、トリメチロールプロパン、１，２，６−ヘキサントリオール等のトリオール類；チオジグリコール；ビスヒドロキシエチルスルホン；エチレングリコールモノメチル（又はエチル、ブチル）エーテル、ジエチレングリコールモノメチル（又はエチル、ブチル）エーテル、トリエチレングリコールモノメチル（又はエチル、ブチル）エーテル等の低級アルキルグリコールエーテル類；トリエチレングリコールジメチル（又はエチル）エーテル、テトラエチレングリコールジメチル（又はエチル）エーテル等の低級ジアルキルグリコールエーテル類；モノエタノールアミン、ジエタノールアミン、トリエタノールアミン等のアルカノールアミン類；スルホラン、Ｎ−メチル−２−ピロリドン、２−ピロリドン及び１，３−ジメチル−２−イミダゾリジノン等が挙げられる。
【００３６】
上記水溶性有機溶剤の含有量は、一般にはインクの全重量に対して重量％で１〜４９％、好ましくは２〜４０％の範囲である。
【００３７】
上記の如き媒体を併用する場合は、単独でも混合物でも使用できるが、最も好ましい媒体組成は少なくとも１種の水溶性高沸点有機溶剤、例えばジエチレングリコール、トリエチレングリコール、グリセリン、チオジグリコール等の多価アルコールを含有するものである。
【００３８】
その他各種の分散剤、界面活性剤、粘度調整剤、表面張力調整剤、蛍光増白剤等も必要に応じて添加することができる。
【００３９】
例えば、ポリビニルアルコール、セルロース類、水溶性樹脂等の粘度調整剤；カチオン、アニオン或はノニオン系の各種界面活性剤、ジエタノールアミン、トリエタノールアミン等の表面張力調整剤；緩衝液によるｐＨ調整剤、防カビ剤等を挙げることができる。
【００４０】
更に、本発明のインクは普通紙に記録した場合のインクの滲み及び記録物の乾燥性、浸透性を解決し、インクジェット用ヘッドに対するマッチングの面から、インク物性として２５℃における表面張力が２０〜６０ｄｙｎ／ｃｍ、粘度が１５ｃＰ以下、好ましくは１０ｃＰ以下、より好ましくは５ｃＰ以下に調整されることが望ましい。
【００４１】
本発明のインクは、液滴を吐出させて記録を行うインクジェット記録方法にとりわけ好適に用いられるが、一般の筆記具用としても使用できることはいうまでもない。
【００４２】
本発明のインクを用いて記録を行うのに好適な方法及び装置としては、例えば記録ヘッドの室内のインクに記録信号に対応した熱エネルギーを与え、該熱エネルギーにより液滴を発生させる方法及び装置が挙げられる。
【００４３】
その装置の主要部であるヘッド構成例を図１、図２及び図３に示す。
【００４４】
ヘッド１３はインクを通す溝１４を有するガラス、セラミックス又はプラスチック板等と、感熱記録に用いられる発熱ヘッド１５（図ではヘッドが示されているが、これに限定されるものではない）とを接着して得られる。発熱ヘッド１５は酸化シリコン等で形成される保護膜１６、アルミニウム電極１７−１、１７−２、ニクロム等で形成される発熱抵抗体層１８、蓄熱層１９、アルミナ等の放熱性のよい基板２０よりなっている。
【００４５】
インク２１は吐出オリフィス（微細孔）２２まで来ており、圧力Ｐによりメニスカス２３を形成している。
【００４６】
ここで、電極１７−１、１７−２に電気信号が加わると、発熱ヘッド１５のｎで示される領域が急激に発熱し、ここに接しているインク２１に気泡が発生し、その圧力でメニスカス２３が突出し、インク２１が吐出し、オリフィス２２よりインク滴２４となり、被記録材２５に向かって飛翔する。
【００４７】
図３には図１に示すヘッドを多数並べたマルチヘッドの外観図を示す。該マルチヘッドはマルチ溝２６を有するガラス板２７と、図１に説明したものと同様な発熱ヘッド２８とを密着して製作されている。
【００４８】
尚、図１は、インク流路に沿ったヘッド１３の断面図であり、図２は図１のＡ−Ｂ線での切断面である。
【００４９】
図４に、かかるヘッドを組み込んだインクジェット記録装置の一例を示す。
【００５０】
図４において、６１はワイピング部材としてのブレードであり、その一端はブレード保持部材によって保持されて固定端となり、カンチレバーの形態をなす。ブレード６１は記録ヘッドによる記録領域に隣接した位置に配設され、又、本例の場合、記録ヘッドの移動経路中に突出した形態で保持される。６２はキャップであり、ブレード６１に隣接するホームポジションに配設され、記録ヘッドの移動方向と垂直な方向に移動して吐出口面と当接し、キャッピングを行う構成を備える。更に６３はブレード６１に隣接して設けられる吸収体であり、ブレード６１と同様、記録ヘッドの移動経路中に突出した形態で保持される。上記ブレード６１、キャップ６２、吸収体６３によって吐出回復部６４が構成され、ブレード６１及び吸収体６３によってインク吐出口面に水分、塵埃等の除去が行われる。６５は吐出エネルギー発生手段を有し、吐出口を配した吐出口面に対向する被記録材にインクを吐出して記録を行う記録ヘッド、６６は記録ヘッド６５を搭載して記録ヘッド６５の移動を行う為のキャリッジである。キャリッジ６６はガイド軸６７と慴動可能に係合し、キャリッジ６６の一部はモータ６８によって駆動されるベルト６９と接続（不図示）している。これによりキャリッジ６６はガイド軸６７に沿った移動が可能となり、記録ヘッド６５による記録領域及びその隣接した領域の移動が可能となる。
【００５１】
５１は被記録材を挿入する為の給紙部、５２は不図示のモータにより駆動される紙送りローラである。これらの構成によって記録ヘッドの吐出口面と対向する位置へ被記録材が給紙され、記録が進行するにつれて排紙ローラ５３を配した排紙部へ排紙される。
【００５２】
上記構成において記録ヘッド６５が記録終了等でホームポジションに戻る際、ヘッド回復部６４のキャップ６２は記録ヘッド６５の移動経路から退避しているが、ブレード６１は移動経路中に突出している。この結果、記録ヘッド６５の吐出口面がワイピングされる。尚、キャップ６２が記録ヘッド６５の吐出面に当接してキャッピングを行う場合、キャップ６２は記録ヘッドの移動経路中に突出する様に移動する。
【００５３】
記録ヘッド６５がホームポジションから記録開始位置へ移動する場合、キャップ６２及びブレード６１は上述したワイピング時の位置と同一の位置にある。この結果、この移動においても記録ヘッド６５の吐出口面はワイピングされる。
【００５４】
上述の記録ヘッドのホームポジションへの移動は、記録終了時や吐出回復時ばかりでなく、記録ヘッドが記録の為に記録領域を移動する間に所定の間隔で記録領域に隣接したホームポジションへ移動し、この移動に伴って上記ワイピングが行われる。
【００５５】
図５は、ヘッドにインク供給部材、例えばチューブを介して供給されるインクを収容したインクカートリッジの一例を示す図である。ここで４０は供給用インクを収容したインク収容部、例えば、インク袋であり、その先端にはゴム製の栓４２が設けられている。この栓４２に針（不図示）を挿入することにより、インク袋４０中のインクをヘッドに供給可能ならしめる。４４は廃インクを受容する吸収体である。インク収容部としては、インクとの接液面がポリオレフィン、特にポリエチレンで形成されているものが本発明にとって好ましい。本発明で使用されるインクジェット記録装置としては、上記の如きヘッドとインクカートリッジとが別体となったものに限らず、図６に示す如きそれらが一体になったものにも好適に用いられる。
【００５６】
図６において、７０は記録ユニットであって、この中にはインクを収容したインク収容部、例えば、インク吸収体が収納されており、かかるインク吸収体中のインクが複数のオリフィスを有するヘッド部７１からインク滴として吐出される構成になっている。インク吸収体の材料としては、ポリウレタンを用いることが本発明にとって好ましい。７２は記録ユニット内部を大気に連通させる為の大気連通口である。この記録ユニット７０は、図４で示す記録ヘッドに代えて用いられるものであって、キャリッジ６６に対し着脱自在になっている。
【００５７】
次に、本発明に好適に使用できる記録装置及び記録ヘッドの他の具体例を説明する。図７は、本発明に係る吐出時に気泡を大気と連通する吐出方式の液体吐出ヘッドとしての液体吐出ヘッド及びこのヘッドを用いる液体吐出装置としてのインクジェットプリンタの一例の要部を示す概略斜視図である。
【００５８】
図７においては、インクジェットプリンタは、ケーシング１００８内に長手方向に沿って設けられる記録媒体としての用紙１０２８を図中に示す矢印Ｐで示す方向に間欠的に搬送する搬送装置１０３０と、搬送装置１０３０による用紙１０２８の搬送方向Ｐに略直交する矢印Ｓ方向に、ガイド軸１０１４に沿って略平行に往復運動せしめられる記録部１０１０と、記録部１０１０を往復運動させる駆動手段としての移動駆動部１００６とを含んで構成されている。
【００５９】
上記搬送装置１０３０は、互いに略平行に対向配置されている一対のローラユニット１０２２ａ及び１０２２ｂと、一対のローラユニット１０２４ａ及び１０２４ｂと、これらの各ローラユニットを駆動させるための駆動部１０２０とを備えている。かかる構成により、搬送装置１０３０の駆動部１０２０が作動状態とされると、用紙１０２８が、それぞれのローラユニット１０２２ａ及び１０２２ｂと、ローラユニット１０２４ａ及び１０２４ｂにより狭持されて、図７に示す矢印Ｐ方向に間欠送りで搬送されることとなる。
【００６０】
移動駆動部１００６は、所定の間隔をもって対向配置される回転軸に配されるプーリ１０２６ａ、及び、プーリ１０２６ｂに巻きかけられるベルト１０１６、ローラユニット１０２２ａ、及び、ローラユニット１０２２ｂに略平行に配置され記録部１０１０のキャリッジ部材１０１０ａに連結されるベルト１０１６を順方向及び逆方向に駆動させるモータ１０１８とを含んで構成されている。
【００６１】
ヒータ１０１８が作動状態とされてベルト１０１６が図７の矢印Ｒ方向に回転したとき、記録部１０１０のキャリッジ部材１０１０ａは図７の矢印Ｓ方向に所定の移動量だけ移動される。又、モータ１０１８が作動状態とされてベルト１０１６が図中に示した矢印Ｒ方向とは逆方向に回転したとき、記録部１０１０のキャリッジ部材１０１０ａは図７の矢印Ｓ方向とは反対の方向に所定の移動量だけ移動されることとなる。更に、移動駆動部１００６の一端部には、キャリッジ部材１０１０ａのホームポジションとなる位置に、記録部１０１０の吐出回復処理を行うための回復ユニット１０２６が記録部１０１０のインク吐出口配列に対向して設けられている。
【００６２】
記録部１０１０は、インクジェットカートリッジ（以下、単にカートリッジと記述する場合がある）１０１２Ｙ、１０１２Ｍ、１０１２Ｃ及び１０１２Ｂが各色、例えばイエロー、マゼンタ、シアン及びブラック毎にそれぞれ、キャリッジ部材１０１０ａに対して着脱自在に備えられる。
【００６３】
図８は上述のインクジェット記録装置に搭載可能なインクジェットカートリッジの一例を示す。本例におけるカートリッジ１０１２は、シリアルタイプのものであり、インクジェット記録ヘッド１００と、インク等の液体を収容する液体タンク１００１とで主要部が構成されている。
【００６４】
インクジェット記録ヘッド１００は液体を吐出するための多数の吐出口８３２が形成されており、インク等の液体は、液体タンク１００１から図示しない液体供給通路を介して液体吐出ヘッド１００の共通液室（図９参照）へと導かれるようになっている。図８に示したカートリッジ１０１２は、インクジェット記録ヘッド１００と液体タンク１００１とを一体的に形成し、必要に応じて液体タンク１００１内に液体を補給できるようにしたものであるが、この液体吐出ヘッド１００に対し、液体タンク１００１を交換可能に連結した構造を採用するようにしてもよい。
【００６５】
このような構成のインクジェットプリンタに搭載され得る上述の液体吐出ヘッドの具体例を以下に更に詳しく説明する。
【００６６】
図９は、本発明で使用するインクジェット記録装置に好適な液体吐出ヘッドの要部を模式的に示す概略斜視図であり、尚、これらの図において電気熱変換素子を駆動するための電気的な配線等は省略している。
【００６７】
本例の液体吐出ヘッドにおいては、例えば図９に示されるような、ガラス、セラミックス、プラスチック或いは金属等からなる基板９３４が用いられる。このような基板の材質は、本発明の本質ではなく、流路構成部材の一部として機能し、インク吐出エネルギー発生素子、及び後述する液流路、吐出口を形成する材料層の支持体として、機能し得るものであれば特に限定されるものではない。そこで、本例では、Ｓｉ基板（ウエハ）を用いた場合で説明する。このような基板９３４上にインク吐出口を形成するが、その方法としては、レーザー光による形成方法の他、例えば後述するオリフィスプレート（吐出口プレート）９３５を感光性樹脂として、ＭＰＡ（ＭｉｒｒｏｒＰｒｏｊｅｃｔｉｏｎＡｌｉｎｅｒ）等の露光装置により吐出口を形成する方法も挙げられる。
【００６８】
図９において９３４は電気熱変換素子（以下、ヒータと記述する場合がある）９３１及び共通液室部としての長溝状の貫通口からなるインク供給口９３３を備える基板であり、インク供給口９３３の長手方向の両側には、熱エネルギー発生手段であるヒータ９３１がそれぞれ１列ずつ千鳥状に、電気熱変換素子の間隔が、例えば、３００ｄｐｉで配列されている。又、この基板９３４上には、インク流路を形成するためのインク流路壁９３６が設けられている。このインク流路壁９３６には、更に吐出口８３２を備える吐出口プレート９３５が設けられている。
【００６９】
ここで、図９においてはインク流路壁９３６と吐出口プレート９３５とは、別部材として示されているが、このインク流路壁９３６を例えばスピンコート等の手法によって基板９３４上に形成することによりインク流路壁９３６と吐出口プレート９３５とを同一部材として同時に形成することも可能である。ここでは、更に、吐出口面（上面）９３５ａ側は撥水処理が施されている。
【００７０】
例示した装置では、図７の矢印Ｓ方向に走査しながら記録を行うシリアルタイプのヘッドを用い、例えば、１，２００ｄｐｉで記録を行う。駆動周波数は１０ｋＨｚであり、一つの吐出口では最短時間間隔１００μｓ毎に吐出を行うことになる。
【００７１】
（実施例）
次に実施例を挙げて本発明を更に具体的に説明する。尚、文中、「部」又は「％」とあるのは、特に断わりのない限り重量基準である。
【００７２】
実施例１〜５
下記の成分を混合して５時間攪拌後、ポアサイズが０．２２ミクロンのメンブランフィルター（商品名フロロポアフィルター、住友電工株式会社製）にて加圧濾過し、本発明のインクＡ〜Ｅを得た。
【００７３】
次に、得られたインクＡ〜Ｅを用いて、インクジェット記録装置として、発熱素子をインクの吐出エネルギー源として利用したオンデマンド型インクジェットプリンター（キヤノン製　ＢＪＳ６００）を使用し、市販のコピー用紙及びボンド紙に記録を行い、得られた記録物の定着性及び滲みの発生率、プリント一次停止後の再プリント時の目詰まり性、プリント長期停止後の再プリント時の目詰まり性、周波数応答性を評価した。結果を表１に示す。評価は２５℃、６０％ＲＨにて行った。
【００７４】
2004143305.tif 000004
比較例１〜７
実施例１〜５と同様な方法にて、下記全成分を処理して比較例１〜５のインクＦ〜Ｋを得て、実施例と同様に各種評価を行った。結果を表１に示す。
【００７５】
2004143305.tif 000005
2004143305.tif 000006
【００７６】
【表１】
2004143305.tif 000007
【００７７】
（１＊）定着性評価
市販のコピー用紙及びボンド紙に印字して１０秒後、３０秒後に印字部濾紙（商品名：Ｎｏ．５Ｃ、東洋濾紙株式会社製）にて擦った。
【００７８】
◎…１０秒でカスレなし
○…１０秒でカスレ小
△…３０秒でカスレ小
×…３０秒でカスレ大
（２＊）プリント一時停止後の再プリント時の目詰まり
プリント一時停止後の再プリント時の目詰まりについては、プリンタに所定のインクを充填して１０分間連続して英数文字を印字した後、再び英数文字を印字して文字のカスレ、欠け等の不良箇所の有無により判定した。
【００７９】
○…一文字目から不良箇所なし
△…一文字目の一部がカスレ又は欠ける
×…一文字目が全く印字できない
（３＊）プリント長期停止後の再プリント時の目詰まり回復性
プリンタに所定のインクを充填して１０分間連続して英数文字を印字した後プリントを停止し、キャップ等をしない状態で７日間放置した後、ノズル目詰まりの回復操作を行い、何回の操作回数で文字のカスレ、欠け等のない正常な印字が可能であるかを判定した（６０℃、１０±５％ＲＨにて放置）。
【００８０】
○…１〜５回の回復操作で正常な印字が可能
△…６〜１０回の回復操作で正常な印字が可能
×…１１回以上の回復操作で正常な印字が可能
（４＊）周波数応答性の評価
得られた印字物の印字状態すなわちカスレや白抜け状態及びスプラッシュやヨレ等の着弾点不良状態を肉眼で観察し、評価した。
【００８１】
◎…周波数に対するインクの追従性は良好であり、ベタ印字及びキャラクタ印字共にカスレや白抜け、着弾点不良が見られない。
【００８２】
○…周波数に対するインクの追従性はほぼ良好であり、キャラクタ印字ではカスレや白抜け、着弾点不良が見られないが、ベタ印字においてわずかにカスレがみられる。
【００８３】
△…キャラクタ印字でカスレ、白抜けはみられないが、１部着弾点不良がみられる。ベタ印字ではカスレ、白抜けがベタ全体の１／３程度みられる。
【００８４】
×…ベタ印字においては、カスレ、白抜けが多く、キャラクタ印字部においてもカスレや着弾点不良がたくさんみられる。
【図面の簡単な説明】
【図１】インク流路に沿ったヘッド１３の断面図。
【図２】図１のＡ−Ｂ線での切断面である液滴を発生させる装置の主要部であるヘッド構成例。
【図３】図１に示すヘッドを多数並べたマルチヘッドの外観図。
【図４】ヘッドを組み込んだインクジェット記録装置の一例。
【図５】ヘッドにインク供給部材、例えばチューブを介して供給されるインクを収容したインクカートリッジの一例。
【図６】ヘッドとインクカートリッジとが一体になったもの。
【図７】本発明に係る吐出時に気泡を大気と連通する吐出方式の液体吐出ヘッドとしての液体吐出ヘッド及びこのヘッドを用いる液体吐出装置としてのインクジェットプリンタの一例の要部を示す概略斜視図。
【図８】インクジェット記録装置に搭載可能なインクジェットカートリッジの一例。
【図９】本発明で使用するインクジェット記録装置に好適な液体吐出ヘッドの要部を模式的に示す概略斜視図。
【図１】
2004143305.tif 000009
【図２】
2004143305.tif 000010
【図３】
2004143305.tif 000011
【図４】
2004143305.tif 000012
【図５】
2004143305.tif 000013
【図６】
2004143305.tif 000014
【図７】
2004143305.tif 000015
【図８】
2004143305.tif 000016
【図９】
2004143305.tif 000017